(57)【要約】適応性フィットヘルメットは、外郭、及びエネルギー吸収材料、及びフィットシステムを備え得る。外郭は、上部、側部、及び、上部と側部との境界面に沿って外郭のこめかみ領域から外郭の下側外縁まで延在する外側伸長領域を備え得る。エネルギー吸収材料は外郭内に配設されてよく、このエネルギー吸収材料は、上部、側部、並びに、エネルギー吸収材料の上部及び側部の縁間にある内側伸長領域を更に備え、この内側伸長領域は、外側伸長領域と対応するようになっている。このフィットシステムは、外郭とエネルギー吸収材料との両方の三次元サイズ及び形状を制御する、ベルト及びフィットシステム機構を備え得る。
2017509809.tif 000002
【特許請求の範囲】
【請求項１】
適応性フィットヘルメットであって、
上部、側部、及び、前記上部と前記側部との境界面に沿って外郭のこめかみ領域から前記外郭の下側外縁まで延在する外側伸長領域を備える、前記外郭と、
前記外郭内に配設されたエネルギー吸収材料であって、上部、側部、並びに、内側伸長領域が前記外側伸長領域と対応するように前記エネルギー吸収材料の前記上部及び前記側部の縁間にある内側伸長領域を更に備える、エネルギー吸収材料と、
前記外郭の前記側部に連結されたベルト及び前記外郭の前記上部に連結されたフィットシステム機構を備える、フィットシステムと、を備え、前記フィットシステムの位置が、前記外郭の三次元サイズ及び形状並びに前記エネルギー吸収材料の三次元サイズ及び形状の両方を制御する、適応性フィットヘルメット。
【請求項２】
ラック及びピニオンが、前記外郭の前記上部及び前記側部を押し引きして、前記外郭と前記エネルギー吸収材料との両方の前記三次元サイズ及び形状を拡大あるいは縮小させるよう構成されるように、前記フィットシステムの前記ベルトが前記ラックを含み、前記フィットシステム機構が前記ピニオンを含む、請求項１に記載の適応性フィットヘルメット。
【請求項３】
前記外郭が、可撓性外郭を含み、前記エネルギー吸収材料が、発泡ポリスチレン（ＥＰＳ）、発泡ポリウレタン（ＥＰＵ又はＥＰＴＵ）、発泡ポリオレフィン（ＥＰＯ）、発泡ポリプロピレン（ＥＰＰ）、又はビニルニトリル（ＶＮ）を含む、請求項１に記載の適応性フィットヘルメット。
【請求項４】
前記フィットシステムが、前記外郭の前記こめかみ領域と耳領域との間で前記外郭の前記三次元サイズ及び形状を制御する、請求項１に記載の適応性フィットヘルメット。
【請求項５】
前記上部と前記側部前記外郭との前記境界面がＵ字形を含み、前記エネルギー吸収材料の前記内側伸長領域もＵ字形を含む、請求項１に記載の適応性フィットヘルメット。
【請求項６】
前記外郭の前記上部及び前記外郭の前記側部が２つの別個の部分として形成され、前記外郭の前記上部及び前記外郭の前記側部が互いに連結される、請求項１に記載の適応性フィットヘルメット。
【請求項７】
前記適応性フィットヘルメットの可撓性が、前記適応性フィットヘルメットのサイズ、形状、及び輪郭を変化させて、使用者の頭部の形状、サイズ、及び輪郭に適合することを可能にするように、前記フィットシステムを調節することを含む、請求項１に記載の適応性フィットヘルメットを使用する方法。
【請求項８】
適応性フィットヘルメットであって、
外郭のこめかみ領域から前記外郭の下側外縁まで延在する外側伸長領域を備える前記外郭と、
前記外郭内に配設されたエネルギー吸収材料と、
前記外郭に連結されたベルト、並びに前記外郭及び前記ベルトに連結されたフィットシステム機構を備える、フィットシステムと、を備え、前記フィットシステムの位置が、前記外郭の三次元サイズ及び形状を制御する、適応性フィットヘルメット。
【請求項９】
ラック及びピニオンが、前記外郭を押し引きして、前記外郭の前記三次元サイズ及び形状を拡大あるいは縮小させるよう構成されるように、前記フィットシステムの前記ベルトが前記ラックを含み、前記フィットシステム機構が前記ピニオンを含む、請求項８に記載の適応性フィットヘルメット。
【請求項１０】
前記外郭が、可撓性外郭を含み、前記エネルギー吸収材料が、発泡ポリスチレン（ＥＰＳ）、発泡ポリウレタン（ＥＰＵ又はＥＰＴＵ）、発泡ポリオレフィン（ＥＰＯ）、発泡ポリプロピレン（ＥＰＰ）、又はビニルニトリル（ＶＮ）を含む、請求項８に記載の適応性フィットヘルメット。
【請求項１１】
前記フィットシステムが、前記外郭の耳用開口部の手前で前記外郭の前記三次元サイズ及び形状を制御する、請求項８に記載の適応性フィットヘルメット。
【請求項１２】
開放位置における前記適応性フィットヘルメットに関する後下隅間の幅対前記ヘルメットの幅の先細比（Ｗｂ：Ｗ）が、閉鎖位置における前記適応性フィットヘルメットに関する先細比Ｗｂ：Ｗよりも大きくなるように、前記ヘルメットが、前記外郭の前記下側外縁の後下隅に向かって先細りする、請求項８に記載の適応性フィットヘルメット。
【請求項１３】
前記フィットシステムの前記位置が、前記外郭の二次元長さ及び二次元幅の両方を同時に制御し、かつ前記外郭を曲げるように構成される、請求項８に記載の適応性フィットヘルメット。
【請求項１４】
適応性フィットヘルメットであって、
外郭に沿って前記外郭の下側外縁まで延在する外側伸長領域を備える前記外郭と、
前記外郭内に配設されたエネルギー吸収材料であって、前記外側伸長領域に対応する内側伸長領域を更に備える、エネルギー吸収材料と、
前記外郭に連結されたベルト、並びに前記外郭及び前記ベルトに連結されたフィットシステム機構を備える、フィットシステムと、を備え、前記フィットシステムの位置が、前記外郭のサイズ及び形状並びに前記エネルギー吸収材料のサイズ及び形状の両方を同時に制御する、適応性フィットヘルメット。
【請求項１５】
ラック及びピニオンが、前記外郭を押したり引いたりして、前記外郭の前記サイズ及び形状並びに前記エネルギー吸収材料の前記サイズ及び形状を同時に拡大あるいは縮小させるよう構成されるように、前記フィットシステムの前記ベルトが前記ラックを含み、前記フィットシステム機構が前記ピニオンを含む、請求項１４に記載の適応性フィットヘルメット。
【請求項１６】
前記外郭が、可撓性外郭を含み、前記エネルギー吸収材料が、発泡ポリスチレン（ＥＰＳ）、発泡ポリウレタン（ＥＰＵ又はＥＰＴＵ）、発泡ポリオレフィン（ＥＰＯ）、発泡ポリプロピレン（ＥＰＰ）、又はビニルニトリル（ＶＮ）を含む、請求項１４に記載の適応性フィットヘルメット。
【請求項１７】
前記フィットシステムが、前記適応性フィットヘルメットのこめかみ領域と耳領域との間の前記適応性フィットヘルメットの領域内で、前記外郭並びにエネルギー吸収層のサイズ及び形状を制御する、請求項１４に記載の適応性フィットヘルメット。
【請求項１８】
前記内側伸長領域がＵ字形を含む、請求項１４に記載の適応性フィットヘルメット。
【請求項１９】
前記外郭が、前記外側伸長領域から離れた突縁で互いに連結されている２つの別個の部分を備える、請求項１４に記載の適応性フィットヘルメット。
【請求項２０】
前記適応性フィットヘルメットの可撓性が、前記適応性フィットヘルメットのサイズ、形状、及び輪郭を変化させて、使用者の頭部の形状、サイズ、及び輪郭に適合することを可能にするように、前記フィットシステムを調節することを含む、請求項１４に記載の適応性フィットヘルメットを使用する方法。
【発明の詳細な説明】
【技術分野】
【０００１】
本開示は、適応性フィットヘルメット、及び顧客の頭部にヘルメットをフィットさせるための方法に関する。本適応性フィットヘルメットは、従来のヘルメットが使用されるいかなる場合にも用いることができ、また、スキーヤー、スケーター、ホッケー選手、スノーボーダー、又は他の雪上若しくは水上運動選手、サイクリスト、フットボール選手、野球選手、ラクロス選手、ポロ選手、登山者、自動車競技者、オートバイの乗り手、モトクロス競技者、スカイダイバー、又はスポーツにおける任意の他の運動選手、工事作業者、あるいは保護用ヘッドギアを必要とする他の個人のために使用され得る、可撓性かつ調節可能なヘルメットであり得る。
【背景技術】
【０００２】
保護用ヘッドギア及びヘルメットは、使用者の頭部及び脳への損傷を防止するために、スポーツ、陸上競技、工事、鉱業、軍事防衛などを含む、多様な用途において、かついくつかの業界にまたがって使用されている。使用者への損傷及び傷害は、硬い物体又は鋭い物体が使用者の頭部に直接接触することを防止するヘルメットによって防止又は低減され得る。使用者への損傷及び傷害は、衝撃のエネルギーを吸収、分配、又は別様に処理するヘルメットによっても防止又は低減され得る。
【０００３】
スポーツなどの多くの用途でヘルメットを着用する運動選手にとって、保護用ヘルメットの安全性の側面に加え、追加の考慮事項は、ヘルメットのフィット、及びヘルメットの通気を含み得る。フィット快適性及び通気の改善により、運動選手の気が散りにくくなり、よってパフォーマンスが向上し得る。本明細書に開示される適応性フィットヘルメット及びそれを使用するための方法は、安全性、並びに様々な頭部形状の顧客に対して安全性を低減させることなくフィット、通気、及び快適性を改善することに関する。
【０００４】
従来のヘルメット製作技術は、ヒトの頭部は同様であり、標準的なヘルメットへの調節は顧客の頭部とヘルメットの内表面との間に異なる厚さのパッドを加えることにより行われ得るという想定の下に、安全ヘルメット類（helmetry）を設計してきた。時には、固定サイズ即ち一定サイズのヘルメット内で快適性パッドのサイズを調節する追加の快適性パッドが、従来のフィットシステムの一部として追加されてきた。しかしながら、こうした想定により、適切にフィットせず、顧客の頭部で滑るか、スポーツの活動中に顧客の身体で振動が発生すると顧客の頭部でがたつくか、あるいは、パッドが適切にフィットしないときでもヘルメットを適所に保持しようとして、又は顧客の頭部が大き過ぎて頭部とヘルメットの保護材料との間に十分なパッドを配設することができない場合に、顧客の頭部及び顔面に圧力点を生じさせやすいヘルメットがもたらされている。
【発明の概要】
【課題を解決するための手段】
【０００５】
適応性フィットヘルメット及びそれを製作するための方法に対する必要性が存在する。したがって、一態様では、適応性フィットヘルメットは、上部、側部、及び、上部と側部との境界面に沿って外郭のこめかみ領域から外郭の下側外縁まで延在する外側伸長領域を備える、外郭を備え得る。エネルギー吸収材料は外郭内に配設されてよく、このエネルギー吸収材料は、上部、側部、並びに、エネルギー吸収材料の上部及び側部の縁間にある内側伸長領域を更に備え、この内側伸長領域は、外側伸長領域と対応又は整列するようになっている。フィットシステムは、外郭の側部に連結されたベルト及び外郭の上部に連結されたフィットシステム機構を備え得、フィットシステムの位置は、外郭の三次元サイズ及び形状並びにエネルギー吸収材料の三次元サイズ及び形状の両方を制御する。
【０００６】
本適応性フィットヘルメットは、ラック及びピニオンが外郭の上部及び側部を押し引きして、外郭とエネルギー吸収材料との両方の三次元サイズ及び形状を拡大あるいは縮小させるよう構成されるように、ラックを含むフィットシステムのベルト、及びピニオンを含むフィットシステム機構を更に備え得る。外郭は、可撓性外郭を含み得、エネルギー吸収材料は、発泡ポリスチレン（ＥＰＳ）、発泡ポリウレタン（ＥＰＵ又はＥＰＴＵ）、発泡ポリオレフィン（ＥＰＯ）、発泡ポリプロピレン（ＥＰＰ）、又はビニルニトリル（ＶＮ）を含む。フィットシステムは、外郭のこめかみ領域と耳領域との間で外郭の三次元サイズ及び形状を制御することができる。上部と側部該外郭との境界面はＵ字形を含んでよく、エネルギー吸収材料の内側伸長領域もＵ字形を含んでよい。外郭の上部及び外郭の側部は２つの別個の部分として形成されてもよく、外郭の上部及び外郭の側部は互いに連結される。適応性フィットヘルメットを使用する一方法は、適応性フィットヘルメットの可撓性が、適応性フィットヘルメットのサイズ、形状、及び輪郭を変化させて、使用者の頭部の形状、サイズ、及び輪郭に適合することを可能にするように、フィットシステムを調節することを含み得る。
【０００７】
別の態様では、適応性フィットヘルメットは、外郭のこめかみ領域から外郭の下側外縁まで延在する外側伸長領域を備える外郭を備えてもよい。エネルギー吸収材料は、外郭内に配設され得る。フィットシステムは、外郭に連結されたベルト、並びに外郭及びベルトに連結されたフィットシステム機構を備えてもよく、フィットシステムの位置が、外郭の三次元サイズ及び形状を制御する。
【０００８】
本適応性フィットヘルメットは、ラック及びピニオンが外郭を押し引きして、外郭の三次元サイズ及び形状を拡大あるいは縮小させるよう構成されるように、ラックを含むフィットシステムのベルト、及びピニオンを含むフィットシステム機構を更に備えてもよい。外郭は、可撓性外郭、及びＥＰＳ、ＥＰＵ、ＥＰＯ、ＥＰＰ、又はＶＮを含むエネルギー吸収材料を含んでもよい。フィットシステムは、外郭の耳用開口部の正面で外郭の三次元サイズ及び形状を制御することができる。本ヘルメットは、開放位置における本適応性フィットヘルメットに関する後下隅間の幅対ヘルメットの幅の先細比（Ｗｂ：Ｗ）が、閉鎖位置における本適応性フィットヘルメットに関する先細比Ｗｂ：Ｗよりも大きくなるように、外郭の下側外縁の後下隅に向かって先細りしていてもよい。フィットシステムの位置は、外郭の二次元長さ及び二次元幅の両方を同時に制御し、かつ外郭を曲げるように構成されてもよい。
【０００９】
別の態様では、適応性フィットヘルメットを使用する一方法は、外郭に沿って外郭の下側外縁まで延在する外側伸長領域を備える外郭を含んでもよい。エネルギー吸収材料が外郭内に配設されてもよく、このエネルギー吸収材料は、外側伸長領域と対応又は整列する内側伸長領域を更に備える。フィットシステムは、外郭に連結されたベルト、並びに外郭及びベルトに連結されたフィットシステム機構を備えてもよく、フィットシステムの位置は、外郭のサイズ及び形状並びにエネルギー吸収材料のサイズ及び形状の両方を同時に制御する。
【００１０】
適応性フィットヘルメットを使用する方法は、ラック及びピニオンが外郭を押したり引いたりして、外郭のサイズ及び形状並びにエネルギー吸収材料のサイズ及び形状の両方を同時に拡大あるいは縮小させるよう構成されるように、ラックを含むフィットシステムのベルト、及びピニオンを含むフィットシステム機構を更に含んでもよい。外郭は、可撓性外郭を含んでもよく、エネルギー吸収材料は、ＥＰＳ、ＥＰＵ、ＥＰＯ、ＥＰＰ、又はＶＮを含んでもよい。フィットシステムは、適応性フィットヘルメットのこめかみ領域と耳領域との間の適応性フィットヘルメットの領域内で、外郭並びにエネルギー吸収層のサイズ及び形状を制御することができる。内側伸長領域は、Ｕ字形を含み得る。外郭は、外側伸長領域から離れた突縁で互いに連結されている２つの別個の部分を備えてもよい。適応性フィットヘルメットを使用する一方法は、適応性フィットヘルメットの可撓性が、適応性フィットヘルメットのサイズ、形状、及び輪郭を変化させて、使用者の頭部の形状、サイズ、及び輪郭に適合することを可能にするように、フィットシステムを調節することを含み得る。
【図面の簡単な説明】
【００１１】
【図１Ａ】適応性フィットヘルメットの一実施形態の前方／側面斜視図及び後方／側面斜視図を示す。
【図１Ｂ】適応性フィットヘルメットの一実施形態の前方／側面斜視図及び後方／側面斜視図を示す。
【図２Ａ】別の部分から分離した一部分を含む外郭を備える適応性フィットヘルメットの実施形態を示す。
【図２Ｂ】別の部分から分離した一部分を含む外郭を備える適応性フィットヘルメットの実施形態を示す。
【図３】エネルギー吸収材料を含む適応性フィットヘルメットの一実施形態の内表面の平面図を示す。
【図４Ａ】適応性フィットヘルメット内に配設されたフィットシステムの実施形態を示す。
【図４Ｂ】適応性フィットヘルメット内に配設されたフィットシステムの実施形態を示す。
【図５Ａ】大きなサイズ及び小さなサイズに調節された適応性フィットヘルメットの一実施形態の後方図を示す。
【図５Ｂ】大きなサイズ及び小さなサイズに調節された適応性フィットヘルメットの一実施形態の後方図を示す。
【図６】通気口を備える適応性フィットヘルメットの一実施形態の上面図を示す。
【発明を実施するための形態】
【００１２】
本開示、その態様、及び実現例は、本明細書に開示される特定のヘルメット若しくは材料の種類、又は他のシステム構成要素例、又は方法に限定されない。ヘルメット製造にふさわしい当該技術分野において既知の多くの追加の構成要素、製造、及び組み立て手順は、本開示の特定の実現例と共に使用することが想到される。したがって、例えば、特定の実現例が開示されるが、このような実現例及び実現構成要素は、意図される動作にふさわしい、このようなシステム及び実現構成要素のための、当該技術分野において既知の任意の構成要素、モデル、種類、材料、バージョン、数量、及び／又は同様のものを含み得る。
【００１３】
用語「代表的」、「実施例」、又はこれらの様々な変形は、実施例、例、又は例示として機能することを意味するように本明細書で使用される。「代表的」として又は「実施例」として本明細書に記載される態様又は設計は必ずしも、他の態様又は設計よりも好ましいか、又はそれよりも有利であると解釈されるものではない。更に、実施例は、明瞭性及び理解の目的のためだけに提供されるのであって、開示される主題、又は本開示の関連部分を限定又は制限することを意図するものでは決してない。様々な範囲の追加的又は代替的な実施例を多数提示することもできたが、簡潔さを目的として省略したことを理解されたい。
【００１４】
本開示は、多くの異なる形態でのいくつかの実施形態を含むが、本開示が、開示される方法及びシステムの原理の代表例として見なされるべきであり、本開示の概念の広範な態様を、例示される実施形態に限定することは意図されないとの理解と共に、特定の実施形態が図面に示され、本明細書に詳細に記載される。
【００１５】
本開示は、外郭、及び発泡体などの内側エネルギー吸収層を含み得る保護用適応性ヘルメットを提供するための、デバイス、装置、システム、及び方法を提供する。本適応性ヘルメットは、同時に可撓性かつ調節可能であり得、それは、スキーヤー、スケーター、ホッケー選手、スノーボーダー、又は他の雪上若しくは水上運動選手、サイクリスト、フットボール選手、野球選手、ラクロス選手、ポロ選手、登山者、自動車競技者、オートバイの乗り手、モトクロス競技者、スカイダイバー、又はスポーツにおける任意の他の運動選手のために使用され得る。工事、兵士、消防士、パイロット、又は安全ヘルメットを必要とする他の作業者など、他の業界でも保護用ヘッドウェアが使用され、同様の技術及び方法が適用され得る。上に列挙されたスポーツ又は活動のそれぞれは、常にではないが典型的に外側が装飾的カバーで被覆されている単一あるいは複数の衝撃等級保護基材（ｉｍｐａｃｔ  ｒａｔｅｄ  ｐｒｏｔｅｃｔｉｖｅ  ｍａｔｅｒｉａｌ  ｂａｓｅ）を含み、かつ内部の少なくとも一部分に通常は快適性パッドの形態の快適性材料を含むヘルメットを使用し得る。
【００１６】
図１Ａ及び１Ｂは、あるヘルメット即ち適応性フィットヘルメット１０の斜視図を示す。図１Ａは、適応性フィットヘルメット１０の前方及び左側の斜視図を示し、図１Ｂは、ヘルメット１０の後方及び左側の斜視図を示す。本明細書で使用される場合、前方、後方、左、及び右という用語は、ヘルメットを着用している個人の方向又は配向に関してヘルメット１０の非限定的な一例を説明する際に便宜上使用される。したがって、ヘルメットの異なる配向及び反対の配向も、ヘルメット１０に関して使用されてよい。ヘルメット１０はまた、外郭２０及びエネルギー吸収材料６０を備えてもよい。
【００１７】
外郭２０は、アクリロニトリルブタジエンスチレン（ＡＢＳ）、ポリカーボネート、ケブラーを含むプラスチック、繊維ガラス若しくは炭素繊維を含む繊維材料、又は他の好適な材料を含み得る、可撓性若しくは半可撓性の材料から製作され得る。外郭に使用され得る、可能性のあるＡＢＳプラスチックの非限定的な一例は、ＧＥ  ＰｌａｓｔｉｃｓによるＣｙｃｏｌａｃ（登録商標）ＥＸ３９である。外郭２０は、２．７６ギガパスカル（又は４００，０００ポンド毎平方インチ（ｐｓｉ））以上の曲げ強度を備え得る。外郭２０は、１．８６ギガパスカル（又は２７０，０００ポンド毎平方インチ（ｐｓｉ））以上の曲げ強度を備えてもよい。外郭２０は、典型的に、衝撃及び穿刺に抵抗し、かつ関連する安全試験基準を満たすのに十分に硬質に製作されると同時に、変形によりエネルギーを吸収するように衝撃中にわずかに変形するのに十分に可撓性であり、それによりエネルギー処理及びヘルメット着用者の保護に寄与する。
【００１８】
外郭２０は、外郭の部分又は断片が互いに対して動かされ調節されることを可能にする、一緒に連結された１つ以上の部分、断片、又は部品、例えば２つ、３つ、４つ、又は任意の数の部分を備え得る。したがって、外郭の部分又は断片の相対運動は、単一のヘルメットが複数の使用者に対する特定の頭部サイズ及び頭部形状に適応することを可能にする、ある範囲のヘルメットサイズを可能にし、それによりヘルメットの快適性及び性能を改善させることができる。外郭に使用される１つ以上の材料の可撓性は、標的のサイズ範囲に適応するのに所望される動きの度合い又は量を可能にするように、外郭の複数の部分又は断片の形状、設計、サイズ、及び寸法と併せて選択されてもよい。
【００１９】
非限定的な一例として、外郭２０は、２つの部分、つまり、外郭２０の上部即ち中心部３０、及び外郭２０の側部４０に関して以下に考察される。このように、外郭２０は２つの部分を備え得るが、任意の他の数の部分が、以下により詳細に記載される利益及び利点を提供するために使用されてもよい。重要なことに、また以下により詳細に考察されるように、外郭２０の１つ以上の部分は、別個の部分又は部品として形成されてもよく、代替的に、外郭２０の１つ以上の部分は、一体的に形成されても、あるいは互いに恒久的に連結されてもよい。
【００２０】
境界面５０が、外郭２０の異なる部分間、区分間、又は断片間に存在し得る。境界面５０は、ヘルメット１０の形状、曲線、又は外縁に従う、チャネル、スリット、間隙、スロット、開口部、又は重なり合ったタブ若しくは突縁として形成されるか、又は存在してもよい。境界面５０は、境界面５０のスパン即ち広がりに沿って、直線、１つ以上の弧、若しくは曲線を備えて、又は曲がりくねった、波打った、若しくは噛み合った設計を備えて形成され得る。上部３０及び側部４０を備える外郭２０の実施形態では、上部３０と側部４０との境界面５０の形状は、ヘルメットの上前方のＵ字形境界面５２、及びヘルメットの後方の後方先細り境界面５６を含み得る。Ｕ字形境界面５２は、２つの部分、即ちＵ字形の底部又は基部を形成する横方向部分５３、及びＵ字形の両側を形成する長手方向部分５４を備え得、これらは以下により詳細に記載される。
【００２１】
Ｕ字形境界面５２は、ヘルメット１０の形状、曲線、又は外表面に従うことにより、側部４０の顔ポート、ひさし、又はリップ４１の上のヘルメットの前方部分において、ヘルメットの左側と右側との間のヘルメットの幅Ｗにわたって部分的に、全体的に、又は実質的に水平にのいずれかで、水平に延在し得る、横方向部分５３を備え得る。Ｕ字形境界面５２の横方向部分５３は、ヘルメット１０の前方部分と後方部分との間のヘルメットの長さＬの一部分に沿って延在する２つの長手方向部分に接続され得る。Ｕ字形境界面５２の長手方向部分５４は、ヘルメットの前方部分と後方部分との間のヘルメットの長さＬに沿って部分的に、全体的に、又は実質的に水平にのいずれかで、水平に延在し得る。Ｕ字形境界面５２の長手方向部分５４は、それぞれ左長手方向部分５４ｌ及び右長手方向部分５４ｒとして、ヘルメットの対向する左側及び右側に沿って延在してもよい。いくつかの実施形態では、長手方向部分５４の平均方向又は配向は、横方向部分５３に対して実質的に直角であるか、横断するか、又は直交してよい。
【００２２】
後方先細り境界面５６は、ヘルメット１０の形状、曲線、又は外表面に従うことにより、外郭２０の後方でヘルメットの上部と底部との間に位置付けられ得る。後方先細り境界面５６は、ヘルメット１０の高さＨに沿って部分的に、全体的に、又は実質的に垂直にのいずれかで、垂直に延在し得る、後方先細り境界面の縁５７で形成され得る。後方先細り境界面の縁５７は、それぞれ左後方先細り縁５７ｌ及び右後方先細り縁５７ｒとして、後方先細り境界面５６の対向する左側及び右側に沿って延在してもよい。いくつかの実施形態では、後方先細り境界面の縁５７の平均方向又は配向は、長手方向部分５４に対して実質的に直角であるか、横断するか、又は直交してよい。後方先細り境界面の縁５７は、長手方向部分５４並びに外郭２０の下側外縁２２と交差するか、又は接合してもよい。
【００２３】
このように、境界面５０は、上記のように、外郭２０の隣接する部分間、例えば上部３０と側部４０との間などに存在することができる。したがって、上部３０及び側部４０の縁、隆起部、又はリップは、本明細書に記載されるように境界面５０の境界又は外縁を画定し得る。いくつかの事例では、上部３０及び側部４０の縁、隆起部、又はリップは、上部３０、側部４０、又は外郭２０の任意の部分の外縁即ち限界にあってよい。他の事例では、上部３０及び側部４０の縁、隆起部、又はリップは、外側伸長領域５１が境界面５０の間にあり、上部３０と側部４０との間に重なり合う箇所が存在して、使用者の頭部を被覆し、通路が境界面５０を通ってヘルメット１０の外側からヘルメット１０の内側に至ることを防止するように、上部３０、側部４０、又は外郭２０の任意の部分の外縁即ち限界から離れている、即ちオフセットされてよい。いずれの事象においても、上部３０及び側部４０の縁、隆起部、又はリップは、以下により詳細に記載されるように、上記の境界面５０の有する長さ、区分、部分、又は断片に対応する長さ、区分、部分、又は断片を有し得る。
【００２４】
このように、図２Ａ及び図４Ｂを含む図全体で示されるように、上部３０は、ヘルメット１０の形状、曲線、又は外表面に従うことにより、ヘルメットの前方部分において、ヘルメットの左側と右側との間のヘルメットの幅Ｗにわたって部分的に、全体的に、又は実質的に水平にのいずれかで水平に延在し得る横方向部分の縁３３を備える、Ｕ字形境界面の縁３２を備え得る。Ｕ字形チャネル３２の横方向部分３３は、ヘルメット１０の前方部分と後方部分との間のヘルメット１０の長さＬの一部分に沿って延在する２つの長手方向部分の縁に接続され得る。Ｕ字形境界面の縁３２の長手方向部分の縁３４は、ヘルメット１０の前方部分と後方部分との間のヘルメット１０の長さＬに沿って部分的に、全体的に、又は実質的に水平にのいずれかで、水平に延在し得る。Ｕ字形境界面の縁３２の長手方向部分の縁３４は、それぞれ左長手方向部分の縁３４ｌ及び右長手方向部分の縁３４ｒとして、ヘルメットの対向する左側及び右側に沿って延在してもよい。いくつかの実施形態では、長手方向部分の縁３４の平均方向又は配向は、横方向部分の縁３３に対して実質的に直角であるか、横断するか、又は直交してよい。いくつかの実施形態では、ヘルメット１０の長手方向部分の縁３４は、互いに対して平行となるが、他の実施形態ではその必要はない。
【００２５】
後方先細り境界面の縁３７は、ヘルメット１０の形状、曲線、又は外表面に従うことにより、外郭２０の後方でヘルメットの上部と底部との間に位置付けられ得る。後方先細り境界面の縁３７は、ヘルメット１０の高さＨに沿って部分的に、全体的に、又は実質的に垂直にのいずれかで、垂直に延在し得る。後方先細り境界面の縁３７は、それぞれ左後方先細り縁３７ｌ及び右後方先細り縁３７ｒとして、後方先細り境界面３７の対向する左側及び右側に沿って延在してもよい。いくつかの実施形態では、後方先細り境界面の縁３７の平均方向又は配向は、長手方向部分の縁３４に対して実質的に直角であるか、横断するか、又は直交してよい。後方先細り境界面の縁３７は、長手方向部分の縁３４並びに外郭２０の下側外縁２２と交差するか、又は接合してもよい。
【００２６】
同様に、側部４０は、ヘルメット１０の形状、曲線、又は外表面に従うことにより、ヘルメットの前方部分において、ヘルメットの左側と右側との間のヘルメットの幅Ｗにわたって部分的に、全体的に、又は実質的に水平にのいずれかで水平に延在し得る横方向部分の縁４３を備える、Ｕ字形境界面の縁４２を備え得る。Ｕ字形チャネル４２の横方向部分の縁４３は、ヘルメット１０の前方部分と後方部分との間のヘルメット１０の長さＬの一部分に沿って延在する２つの長手方向部分の縁に接続され得る。Ｕ字形境界面の縁４２の長手方向部分の縁４４は、ヘルメット１０の前方部分と後方部分との間のヘルメット１０の長さＬに沿って部分的に、全体的に、又は実質的に水平にのいずれかで、水平に延在し得る。Ｕ字形境界面の縁４２の長手方向の縁４４は、それぞれ左長手方向部分の縁４４ｌ及び右長手方向部分の縁４４ｒとして、ヘルメットの対向する左側及び右側に沿って延在してもよい。いくつかの実施形態では、長手方向の縁４４の平均方向又は配向は、横方向部分の縁４３に対して実質的に直角であるか、横断するか、又は直交してよい。
【００２７】
いくつかの実施形態では、Ｕ字形境界面の縁４２、横方向部分の縁４３、長手方向部分の縁４４は、それぞれＵ字形境界面の縁３２、横方向部分の縁３３、及び長手方向部分の縁３４に対して平行又は実質的に平行であってもよい。境界面５０が外側伸長領域５１内に一定の即ち固定オフセットを含まない他の実施形態では、上に列挙された特徴は、以下により詳細に記載されるように、特定のフィット構成を可能にするように分岐しているか又は交差していてもよい。
【００２８】
後方先細り境界面の縁４７は、ヘルメット１０の形状、曲線、又は外表面に従うことにより、外郭２０の後方でヘルメットの上部と底部との間に位置付けられ得る。後方先細り境界面の縁４７は、ヘルメット１０の高さＨに沿って部分的に、全体的に、又は実質的に垂直にのいずれかで、垂直に延在し得る。後方先細り境界面の縁４７は、それぞれ左後方先細り縁４７ｌ及び右後方先細り縁４７ｒとして、後方先細り境界面４７の対向する左側及び右側に沿って延在してもよい。いくつかの実施形態では、後方先細り境界面の縁４７の平均方向又は配向は、長手方向の縁４４に対して実質的に直角であるか、横断するか、又は直交してよい。後方先細り境界面の縁４７は、長手方向の縁４４並びに外郭２０の下側外縁２２と交差するか、又は接合してもよい。
【００２９】
いくつかの実施形態では、左後方先細り縁４７ｌ及び右後方先細り縁４７ｒは、それぞれ左後方先細り縁３７ｌ及び右後方先細り縁３７ｒに対して平行又は実質的に平行であってもよい。境界面５０が外側伸長領域５１内に一定の即ち固定オフセットを含まない他の実施形態では、上に列挙された特徴は、以下により詳細に記載されるように、特定のフィット構成を可能にするように分岐しているか又は交差していてもよい。
【００３０】
異なる言い方をすると、図１Ｂは、外郭２０の上部３０が、着用時に使用者の頭部の上部即ち脳天の上に配設され得る外郭２０の上部から下に延在してもよいことを更に示す。上部３０は、ヘルメット１０が使用者によって着用されるとき、上部３０が後方先細り境界面部分３６も含んで、使用者の頭部の後頭部の曲線を含む使用者の頭部の後方部分を被覆することができるように、ヘルメット１０の上部から外郭２０の下側外縁２２まで延在してもよい。外郭２０の側部４０は、上部を受け入れるように構成されるＵ字形の中央の開口部４５を作ると同時に、使用者の頭部の前頭部及び側部の上に配設され得るＵ字形に形成され得、これは例えば図２Ａに見ることができる。一緒に組み立てられると、外郭２０の上部３０及び側部４０は、本明細書に記載されるようにＵ字形に沿って交わる、即ち境界を接することができる。
【００３１】
図２Ａ及び２Ｂは、互いから分離していてよいいくつかの別個の部分、断片、又は部品から外郭２０が形成されている、ヘルメット１０の一実施形態を示す。より具体的には、図２Ａは、上部３０及び側部４０が別々に即ち個別に形成され得るように、上部３０が側部４０とは別であり明確に異なり得る一実施形態を示す。したがって、別々の上部３０及び側部４０は、上部と側部との両方を備える一体的に形成された単一の外郭を形成することに対して、製造の容易さを高め、コストを低減させることができる。他の実施形態では、ヘルメット１０は、単一プロセスで製作され得る一体的に形成された単一の外郭２０を含む、１ピースの外郭として形成されてもよく、解放可能に又は恒久的に一緒に接合され得る、明確に異なる上部３０及び明確に異なる側部４０を備えてもよい。
【００３２】
図２Ａは、図１Ａに示される斜視図と同様の、外郭２０の前方及び左側の斜視図を示す。図２Ａは、外郭２０の一部が互いと完全に分離又は取り外されて示されているという点で図１Ａとは異なる。より具体的には、上部３０は、外郭２０の側部４０からオフセットされ、かつその上に配設された状態で示されている。非限定的な一例として、側部４０は、外郭２０の上部３０と境界を接し、かつそれに連結されるように構成されたいくつかの取付点４９を更に備える、突縁又はタブ４８を備え得る。
【００３３】
取付点４９は便宜上点と称されるが点である必要はなく、限定されないが、超音波溶接（ＵＳＷ）、接着剤、恒久接着剤、感圧接着剤（ＰＳＡ）、フォーム−コアＰＳＡ、テープ、両面テープ、実装用発泡接着剤、締結具、クリップ、クリート、切り欠き、タブ、スナップ、リベット、ホッグリング、及び一体的に形成されるか又は外郭２０に別々に取り付けられる面ファスナーを含む、任意の好適な化学的若しくは機械的締結具又は取り付けデバイス又は物質を含み得る。取付点４９は、外郭２０の所望の部分にしっかりと、強固に、又は固定して取り付けられ得るが、ただし、ヘルメットの所望の調節範囲が大き過ぎないことを条件とする。代替的に、取付点４９は、例えばある剪断許容度で、ヘルメット１０の部分間の所望の相対運動量に対して限定された動きを提供することもでき、また、面ファスナー、フォーム−コアＰＳＡ、又はヘルメット１０の構成及び設計に従う他の好適な材料を含み得る。いくつかの事例では、取付点の第１の部分４９ａ即ちその半分は、突縁４８に連結されるか又は直接取り付けられてもよく、対応する取付点の第２の部分４９ｂ即ちもう半分は、外郭２０の一部分、例えば上部３０の前方部品３５の内面即ち内表面３９などに連結されるか又は直接取り付けられてもよい。取付点４９が接着剤であるとき、取付点４９は、突縁４８の全体又は全体未満を被覆してもよい。取付点４９が機械的締結具であるとき、１つの、１つより多くの、又は複数の締結具が使用され得る。取付点４９は、上部３０及び側部４０など、外郭２０の任意の数の部分を一緒に、強固に又は可動性で連結してもよい。追加的に、取付点４９は、外郭２０の任意の数の部分を一緒に、恒久的に又は解放可能に連結若しくは付着させてもよい。いずれにせよ、取付点４９は、側部４０の突縁４８と上部３０の前方部品３５との間の相対運動を防止することができる。代替的に、上に示したように、外郭２０は、外郭２０の側部の突縁４８及び上部３０の前方部品３５が単一部品として一体的に形成され得るように、一体的に形成された単一の即ち一体型の部品を含み得る。しかしながら、境界面５０の全体に沿って上部３０を側部４０に取り付けないことにより、使用者の頭部に対するサイズ合わせ及びフィットを改善させるために外郭２０を動かし調節することが可能である。
【００３４】
境界面５０に沿った外側伸長領域５１は、外郭２０上に形成された１つ以上の突縁又はリップ５８で埋められ得る。リップ５８は突縁４８と同じでも、又は異なってもよく、外郭２０の任意の部分と共に一体的に形成されてよい。リップ５８は、Ｕ字形境界面５２の全体の周りに延在してもよい。突縁５８は、調節可能にサイズ合わせされたヘルメット１０の間で使用者の頭部の一部が露出し得る間隙又は開口部が境界面５０に沿って存在しないように、上部３０及び側部４０を含む外郭２０の任意の数の部分間に重なり合う箇所を提供し得る。このように、いくつかの実施形態では、外郭２０の上部３０及び側部４０が一体的に成形された一体型の部品から形成され得る一方で、他の実施形態では、上部３０及び側部４０は、外郭２０の一部の重なり合いを可能にする別々の部品から形成されてもよい。
【００３５】
図２Ｂは、ヘルメットの下から外郭２０の内側に向けて見た、適応性ヘルメット１０の一部分の斜視図を示し、ヘルメットの内側は、使用者の頭部を受け入れるように構成されている。図２Ｂは、上部３０の内表面３９と側部４０の内表面８９との間に間隙、空間、又はオフセットが示されている、ヘルメット１０の一部分を追加的に示す。上部３０の内表面３９は、上部３０の外表面３８の反対側に形成されている。同様に、側部４０の内表面８９は、側部４０の外表面８８の反対側に形成されている。境界面その境界面５０に沿った上部３０と側部４０との間の空間、間隙、又はオフセットは、１つ以上のスナップタブ８４によって制御され得る。スナップタブ８４は、剛性若しくは弾性の締結具、伸縮性コード、クリップ、クリート、スナップ、ホック、プロング、ラッチ、スロット及び締結具、あるいは一体的に形成されるか又は外郭２０に別々に取り付けられる他のデバイスを含む、任意の好適な機械的締結具又は取り付けデバイスを含み得る。スナップタブ８４は、フィットシステム７０と一緒に、又はそれとは独立して、外郭の上部３０と側部４０とを噛み合わせるために使用され得る。構成及び設計又はヘルメット１０に応じて、スナップタブ８４は、外郭２０を含むヘルメット１０の様々な部分を接続し一緒に保持するように、境界面５０又はＵ字形境界面５２に沿った任意の位置に配設されてよい。
【００３６】
図２Ｂはまた、上部３０の内表面３９及び側部４０の内表面８９において、それらに隣接して、又はそれらの上に配設され得るスナップタブ８４の追加の詳細を提供する。代替的に、スナップタブ８４は、上部３０の外表面３８及び側部４０の外表面８８において、それらに隣接して、又はそれらの上に配設されてもよい。追加的に、スナップタブ８４は、内表面３９及び８９並びに外表面３８及び８８の両方のいずれかに、それらに隣接して、又はそれらの上に配設されてもよい。スナップタブ８４は、タブ部分８４ａ及び受入部分８４ｂを備え得る。タブ部分８４ａ及び受入部分８４ｂは、外郭２０の対向部分に交互に即ち交替に連結され得る。一緒に連結、接続、又はスナップされると、対向する嵌合可能なタブ部分８４ａと受入部分８４ｂとは、互いと恒久的に又は解放可能に連結され得る。
【００３７】
図２Ｂから分かるように、スナップタブ８４は、スナップタブ８４のタブ部分８４ａを受入部分８４ｂ内に挿入することによって一緒に繋止され得る。タブ部分８４ａ上の隆起した部分即ち隆起部は、タブ部分８４ａがスナップタブ８４の受入部分８４ｂから勝手に外れることを防止することができる。同時に、スナップタブ８４は、ヘルメット１０の側部４０及び上部３０が、例えばタブ部分８４ａのタブの長さ分、互いに対して摺動することを可能にするように構成されてもよい。スナップタブ８４を使用することにより、外郭２０の部分間の過剰な動きを制御することができ、外側伸長領域５１の所望のサイズを維持することができる。図２Ｂは、側部４０に取り付けられたタブ部分８４ａ、及び上部３０に取り付けられた受入部分８４ｂを示すが、タブ部分８４ａ及び受入部分８４ａの相対的配向並びに取付点は反転されてもよい。
【００３８】
図３は、ヘルメット１０内に配設されたエネルギー吸収材料又は衝撃ライナー６０を示す。図示されていないが、快適性パッド又は快適性ライナーの１つ以上の追加の層が、エネルギー吸収材料内に任意に配設されてもよい。しかしながら、エネルギー吸収材料６０の特徴及び構造を明確に提示するために、快適性ライナーは図から省略されている。このように、図３は、エネルギー吸収材料６０は、衝撃中に着用者を保護するためにエネルギーを吸収し、エネルギー処理に寄与する、プラスチック、ポリマー、発泡体、又は他の好適なエネルギー吸収材料の１つ以上の層を備え得ることを示す。エネルギー吸収材料６０としては、限定されないが、ＥＰＳ、ＥＰＵ、ＥＰＯ、ＥＰＰ、又はＶＮを挙げることができる。エネルギー吸収材料６０は、型内成形層であってもよく、又は成形後に外郭２０に連結されてもよい。いくつかの実施形態では、エネルギー吸収材料６０は、圧壊又は割裂されることにより、衝撃からのエネルギーを吸収することができる。非限定的な一例として、ヘルメット１０は、１ピースの型内成形ヘルメットとして、２ピースの型内成形ヘルメットとして、又は任意の数の部品を含む型内成形物として形成されてもよい。代替的に、エネルギー吸収材料６０は、プラスチック、ポリマー、発泡体、又は、外郭２０と共に可撓的に変形して、エネルギーを吸収し、破損、割裂、若しくは圧壊されることなくエネルギー処理に寄与することができる他の好適なエネルギー吸収材料で製作されてもよい。したがって、エネルギー吸収材料６０は、ＥＰＰ、又は、可撓性であり圧壊されること又は割裂することなく複数の衝撃に耐えることができる他の同様のエネルギー吸収性かつエネルギー減衰性の材料の１つ以上の層であってもよい。
【００３９】
エネルギー吸収材料６０は、摩擦嵌めで、又は糊、接着剤、恒久接着剤、ＰＳＡ、フォーム−コアＰＳＡ、テープ、両面テープ、実装用発泡接着剤、締結具、クリップ、クリート、切り欠き、タブ、スナップ、リベット、ホッグリング、若しくは面ファスナーで機械的又は化学的に、外郭２０に恒久的に又は着脱自在に連結され得る。ヘルメット１０の調節可能なサイズ合わせに適応するために、エネルギー吸収材料６０は、数、サイズ、幾何学形状、位置、又は他の特徴において外郭２０の部分と対応する、いくつかの部分又は部品を備えてもよい。エネルギー吸収材料６０の部分のうち１つ以上は、ヘルメットの外側から着用者の頭部への空気の通過を可能にする通気開口部６６を備えてもよい。外郭２０へのエネルギー吸収材料６０の取り付けは、比較的固定された又は強固な取り付けであってよいが、ただし、ヘルメットの所望の調節範囲が受容され得ることを条件とする。代替的に、外郭２０へのエネルギー吸収材料６０の取り付けは、ヘルメット１０の特定の構成及び設計に所望されるサイズ合わせ範囲並びにエネルギー処理量に適応するために、例えばある剪断許容度で、エネルギー吸収材料６０と外郭２０との間の所望の相対運動量に対して限定された動きを提供することもできる。
【００４０】
非限定的な一例として、エネルギー吸収材料６０は、外郭２０の上部３０に連結された上部６２、及び外郭２０の側部４０に連結された側部６４を備え得る。一実施形態では、上部６２は、上部３０の内表面３９に恒久的に連結されてよく、側部６４は、いかなる機械的締結具又は接着剤も用いずに外郭２０及び側部４０の内表面８９に摩擦嵌めされてよい。側部６４の摩擦嵌めは、ヘルメット基部内で外郭２０の幾何学形状及び先細の湾曲部上に側部６４の所望の位置を維持しながら、使用者の要求及び嗜好によるヘルメット１０のサイズ調節に適応するような側部６４の流動的なフィット又は相対運動を可能にすることができる。同様に、ヘルメット１０の内表面、例えばエネルギー吸収層６０の内表面などの輪郭が着用者の頭部の輪郭に適合又は順応するように適応性フィットを提供すると、外郭２０の一部に恒久的に連結されているエネルギー吸収層６０のこうした部分でさえ、エネルギー吸収層６０が外郭２０内で動くことを可能にするような方式で連結され得る。非限定的な一例として、ヘルメット１０の内表面、例えばエネルギー吸収層６０の内表面などは、ヘルメット１０が先細りしているか否かにかかわらず、着用者の頭部の輪郭に適合しそれに従うように、より狭いか、より広いか、より短いか、より長いか、丸みを帯びるか、又は角ばっているように製作されてもよい。
【００４１】
いくつかの実施形態では、エネルギー処理材料６０は、サイズ合わせ調節に適応するように外郭２０内で動くか又は曲がり、使用者の頭部に適合又は順応することができるだけでなく、エネルギー処理材料６０は、外郭２０と共に曲がって、エネルギー処理の改善又は向上をもたらすこともできる。いくつかの実施形態では、ヘルメット１０の動き及び曲がりは、エネルギー処理材料６０の幾何学形状によって少なくとも部分的に制御され得る。エネルギー処理材料６０は、発泡体のワニ革調パネルを備えるか、ハチの巣のような別々のセル若しくは区分を備えるか、又は交互になった高い部分及び低い部分を含む鶏卵箱のような配置を備えて形成され得る。エネルギー処理材料６０は、エネルギー吸収材料６０の表面の全体未満が外郭２０と接触するように、隆起部及び空隙を備えてもよい。したがって、エネルギー吸収材料６０の全体は、外郭２０の内表面３９及び内表面８９に直接取り付けられない。したがって、不均一な表面を備えるエネルギー吸収材料６０を形成すると、エネルギー吸収材料６０と外郭２０との間の境界面又は取付部に少ない応力をかけて外郭２０を曲げることを容易にし、かつそれを可能にすることができる。更に、エネルギー処理材料６０が別々のセル又はハチの巣設計を備えるとき、このセルは、衝撃エネルギーを吸収する際に個別に変形するか、又は圧壊されてもよい。
【００４２】
図３に示されるように、境界面の縁６３は、上部６２の外縁に形成されるか又は配設されてもよく、境界面の縁６５は、内側伸長領域６１に沿って側部６４の内縁に形成されるか又は配設されてもよい。このように、内側伸長領域６１は、境界面の縁６３と境界面の縁６５との間に存在し、それらによって画定され得る。図３に示されるように、境界面の縁６３及び６５は、互いと鏡写しになるか、適合するか、又は嵌合可能に構成されている、円滑な連続曲線縁を含み得る。したがって、ヘルメット１０のサイズが調節されるとき、境界面の曲線縁６２及び境界面の曲線縁６５は、外郭２０並びに内側伸長領域６１の３次元調節、即ち伸長及び収縮の両方を可能にする。
【００４３】
本明細書で使用される場合、外郭２０のサイズ及び内側伸長領域６１のサイズを含む、ヘルメット１０のサイズの伸長及び収縮は、外郭２０及び内側伸長領域６１の容積、又は別の言い方をすると、外郭２０及び内側伸長領域６１の内表面内に含まれる容積を含み得る。３次元調節は、こめかみ整列線８２とヘルメット１０の後方との間、例えば外郭２０の外表面３８においてフィットシステム機構７４の上などで行われ得る。図に示されるように、こめかみ整列線８２は、使用者がヘルメットを着用しているとき使用者のこめかみ上に位置するヘルメット１０のこめかみ領域を指定することができる。別の言い方をすると、ヘルメット１０のこめかみ領域は、ヘルメットの前方に向かい、かつ耳用開口部８０即ち使用者の耳のための切り欠きの正面にある領域であり得る。２次元サイズ合わせを容易にしてきた従来のヘルメット設計は、ヘルメット１０で行うことができるヘルメットの前方と使用者の耳との間の領域でヘルメットのサイズを操作又は調節することなく、使用者の耳の後ろの領域で、又はヘルメットの後方と使用者の耳との間のヘルメットの領域の間で、外郭を操作することを含んでいた。別の言い方をすると、２次元サイズ合わせを容易にする従来ヘルメット設計は、ヘルメット１０内の後方先細り境界面部分３６の位置など、ヘルメットの後方又は尾部分におけるサイズ調節のみを可能にしてきた。
【００４４】
２次元サイズ合わせを容易にしてきた従来のヘルメット設計は、波状の縁又は噛み合った縁を備えているエネルギー吸収材料を含んでいた。波状の噛み合った縁を用いずに境界面の縁６３及び境界面の縁６５を形成し、代わりに円滑な連続曲線縁を選択することにより、境界面の縁を、Ｕ字形境界面５２、又は外郭２０の上部３０と側部４０との間の境界面５０の外側伸長領域５１に従うようにＵ字形とすることができる。このように、波状の縁又は噛み合った縁を有しない内側伸長領域６１のＵ字形、並びに、こめかみ整列線の後ろの外郭の非連結設計と一緒になった側部６４の任意の流動設計により、ヘルメット幅Ｗとヘルメット高さＨとの両方の成分を含む３次元ベクトルに沿った同時調節を含む、ヘルメット１０の幅Ｗ及び長さＬの同時調節を含む、ヘルメット１０の３次元調節が可能となり得る。
【００４５】
このように、ヘルメット１０は、少なくとも２つの方式でエネルギー処理に寄与することができる。第１に、エネルギー吸収材料６０は、変形によって材料を吸収することができる。第２に、ヘルメット１０の外郭２０は、衝撃からのエネルギーを吸収するように曲がる又は変形することによってエネルギーを吸収することができる。外郭２０によるエネルギー処理に関して、外郭２０が曲がることによって処理されるエネルギーの量は、少なくとも部分的に、外郭２０に使用される材料の結果、並びに外郭２０の幾何学形状の結果であり得る。いくつかの実施形態では、外郭２０が曲がることによるエネルギー処理は、外郭２０の材料と幾何学形状との両方によって制御される。サイズ合わせのために互いに対して摺動し、サイズ合わせされると曲がることなく固定された相対位置に留まる、剛性のヘルメット外郭を代わりに含む、ホッケーヘルメットなどの先行技術で知られる他の従来の調節可能なヘルメットとは対照的に、著しいエネルギー処理は、外郭が曲がることによって提供されない。したがって、外郭２０の曲がり及び動き、並びにエネルギー吸収材料６０の相対運動を可能にする外側伸長領域５１を含む、ヘルメット１０のヒンジ付き設計は、当該技術分野で知られているこれまでのヘルメット設計に対して改善されたエネルギー処理をもたらす。
【００４６】
更に、こうしたヘルメット１０の設計は、可撓性設計ではなく剛性半可撓性設計のために従来考慮され使用されている材料を含む、可撓性設計を可能にすることができる。より具体的には、ヘルメット１０の可撓性設計は、別々の上部及び側部、ヘルメット１０の一部のＵ字形幾何学形状、並びにエネルギー吸収材料６０の少なくとも一部分の流動的なフィットを有するエネルギー吸収材料６０を形成することの特徴を任意に含んでもよい。ヘルメット１０の適応性設計は、ＥＰＳ、ＥＰＵ、及びＥＰＯなどの材料を含むエネルギー吸収材料６０を含んでもよく、これらは、曲がることを伴わないヘルメット用途のために従来考慮されてきた剛性材料であり、むしろ、曲がることによってではなく、割裂、圧壊、又は崩壊することによって材料が破壊されることによりエネルギー処理及びエネルギー吸収がもたらされる用途のために使用されている。
【００４７】
図４Ａ及び４Ｂは、ヘルメット１０のサイズ、形状、又はその両方を調節して、使用者の頭部に対するより良好なフィット、全体的なヘルメット形状の改善、及びエネルギー処理の改善のためにヘルメット１０を曲げることを可能にすることができる、ヘルメット１０のフィットシステム７０を示す。フィットシステム７０は、ヘルメット１０の外表面内若しくはその内部、又はヘルメット１０の内側など、ヘルメット１０内に配設され得る。いくつかの事例では、フィットシステム７０は、ヘルメットの外表面にフィットシステムを有するヘルメットに対して裏返しに形成されてもよく、更に、使用者の視界から少なくとも部分的に隠れるように外郭２０とエネルギー処理材料６０との間に配設されてもよい。例示を容易にするため、ヘルメット１０の一部は、フィットシステム７０の視覚化を可能にするために図４Ａ及び４Ｂでは透明であるものとして示されている。
【００４８】
図４Ａは、図１Ｂに示される図と同様の、ヘルメット１０の後方及び左側の斜視図を示す。図４Ａは、フィットシステム７０が、１つ以上のベルト、ケーブル、コード、ラチェット締め具、ロッド、アーム、クランク、カム、又は他の好適なデバイス７２を含んでもよいことを更に示す。ィットシステム機構７４は、ダイヤル、ラック、ノブ、レバー、スイッチ、トグル、鍵、ラチェットロフィットシステム７０は、フィットシステム機構又はサイズ合わせ機構７４を更に含んでもよい。フック、又はベルト７２の長さを調節することができる他の好適なデバイスを含んでもよい。一緒になると、フィットシステム７０のベルト７２及びフィットシステム機構７４は、ヘルメットの使用者に合わせてヘルメット１０のサイズ及びフィットを調節することができる。非限定的な例として、フィットシステム７０は、ラックとして構成されたベルト７２、及びピニオンとして構成されたフィットシステム機構７４を備えてもよく、別の例として、ベルト７２はケーブルとして構成されてもよく、フィットシステム機構７４は車輪として構成されてもよい。いずれの事例においても、ベルト７２とフィットシステム機構７４との１：１のギア比を使用してもよく、又は代替的に、ギア減速若しくはギア増速を使用して、１：２、２：１、１：３、３：１、１：４、４：１、１：５、５：１などの任意の所望の割合、又は任意の他の望ましい比にギア比を修正してもよい。
【００４９】
図４Ａはまた、フィットシステム機構７４がベルト７２と外郭２０との両方に連結されてもよいことを示す。フィットシステム機構７４は、フィットシステム機構７４を調節するために簡便な使用者のアクセスを提供するために、外郭２０に連結され、かつそれを通って配設されてもよい。図４Ａは、外郭２０の下側外縁２２近くの後方先細り境界面部分３６を通って配設され得るフィットシステム機構７４の非限定的な一例を示す。いくつかの実施形態では、フィットシステム機構７４は、外郭２０の一部分によって部分的に被覆されてもよく、又は反対に、外郭２０に対して部分的若しくは全体的に露出していてもよい。代替的に、フィットシステム機構７４は、ヘルメット２０の側部又はヘルメット１０の任意の他の部分に連結されていてもよい。
【００５０】
フィットシステム７０は、ヘルメット１０の構成及び設計により、１つ以上のベルト７２を備えてもよい。上部３０の後方先細り境界面部分３６、及び側部４０の隣接し対向する２つの側部など、ヘルメットの後方に３つの部分を備えるヘルメット１０の構成では、２つの断片又はベルト断片が望ましい場合がある。２つのベルト断片は、別々の即ち別個の２つのベルト７２であり得る。代替的に、２つのベルト断片は、より長い単一の長いベルト７２のうちの２つの部分又は断片であってもよい。図４Ａは、第２の取付点即ち端部７２ｂからオフセット又は反対側にある第１の取付点即ち端部７２ａを備えるベルト７２を示す。ベルト７２の第１の取付点７２ａは、外郭２０上のアンカー即ち取付点７６に連結されるか、又は直接実装されてもよい。取付点７６は、一体的に形成されるか又は外郭２０に別々に取り付けられる、接着剤、クリップ、クリート、切り欠き、ハトメ、又はリベットを含む、任意の好適な化学的若しくは機械的締結具であり得る。ベルト７２の第２の取付点即ち端部７２ｂが、フィットシステム機構７４に更に連結されるか、又は直接実装されてもよい。フィットシステム機構７４が動かされるか、ねじられるか、又は別様に調節されると、１つ以上のベルト７２も、調節（例えば短縮、延長、又は再配置）され得、それにより、少なくとも１つのベルトが、外郭２０の上部３０及び側部４０などの外郭２０の部分を一緒に押すか又は引いて、ヘルメット１０のサイズ、形状、若しくはその両方を拡大又は縮小させて、使用者の頭部により良好にフィットさせることができる。このように、フィットシステム７０を使用して、外郭２０及びエネルギー処理材料６０の対応する部分を調節することにより、ヘルメット１０を引き締めるか又は緩めると、ヘルメット１０のサイズ、形状、又はその両方を、側面から側面への方向、及び前方から後方への方向など、複数方向で同時に調節することができる。いくつかの事例では、トラック、スリーブ、ロッド、チャネル、ライン、コード、又は他の好適なデバイスの形態の追加の誘導部材が、フィットシステム７０によるヘルメット１０の調節中に、外郭２０の様々な部分の所望の配列又は相対位置を維持することに使用されてもよい。
【００５１】
フィットシステム７０でヘルメット１０のサイズを調節する際、外側伸長領域５１のサイズが比例して調節され得る。したがって、外郭２０の上部３０と側部４０との境界面におけるリップ５８の幅は、使用者の頭部のサイズ又は形状に順応させるときに本適応性ヘルメットのサイズを拡大又は縮小させるために行われ得る調節の量に対応し得る。図４Ａに示されるように、外側伸長領域５１は、境界面領域５０を埋める外郭２０のリップ５８で埋められ得る。リップ５８は、外郭２０の任意の部分の一部であり得、いくつかの実施形態では、長手方向部分の縁３４、後方先細り境界面の縁３７、長手方向部分の縁４４、又は後方先細り境界面の縁４７のうちの１つ以上を超えて延在する、上部３０又は側部４０の一部であり得る。このように、使用者の頭部の露出を低減させ、かつ使用者の頭部の被覆範囲及び保護を強化するために、外郭２０の重なり合う箇所が提供され得る。図５Ａに示されるような他の実施形態では、外側伸長領域５１は、例えば更なる通気を提供するために、外郭２０の部分間に開口部又は間隙を提供するように、リップ５８なしで形成されてもよい。更に他の実施形態では、リップ５８のサイズは、更なる保護及び通気の両方を提供するように、外側伸長領域５１の全体未満である外側伸長領域５１の一部分を占めてもよい。
【００５２】
図４Ｂは、図３に示される図と同様の、ヘルメット１０の内面即ち内表面の後方部分の平面図又は上面図を示す。図４Ｂは、エネルギー処理層６０の一部が外郭２０の内表面上にどのように位置付けられ得るか又は配置され得るかに関する追加の詳細を提供する。図４Ｂはまた、外郭２０の上部３０及び側部４０、並びにそれらに付随するエネルギー処理層６０の断片の相対位置を調節して、ヘルメット１０を使用者の頭部のサイズ、形状、又はその両方に適応させてフィットさせるために、フィットシステム７０がどのように使用され得るかに関する追加の詳細を提供する。
【００５３】
図４Ｂに更に示されるように、１つ以上のベルト７２の第１の取付点７２ａ及び第２の取付点７２ｂは、外郭２０の側部４０上のアンカー７６に連結され得る。１つ以上のベルト７２の一部はまた、フィットシステム機構７４に連結されてもよい。ベルト７２、フィットシステム機構７４、及びアンカー７６など対称的又は等距離で離間した要素に関しては、フィットシステム機構７４を動かすとき、ベルトの長さ、位置、又はその両方を等しく変化させて、外郭２０の上部３０及び側部４０の相対位置を等しく調節して、側面から側面への方向、前方から後方への方向、又はその両方でヘルメット１０を引き締めるか又は緩めることができる。別の実施形態では、不均等な離間又は配置は、不均等若しくは不均一に分かれた動き又は位置合わせをもたらし得、これは、特定の構成、配置、又は幾何学形状のヘルメット１０には望ましいものであり得る。
【００５４】
フィットシステム７０は、ヘルメット１０を、適応性の全サイズ共通（one-size-fits-all）又はフリーサイズ（one-size-fits-most）ヘルメットとすることができ、エネルギー吸収材料６０と外郭２０との両方が、使用者の頭部のサイズ、形状、又はその両方に調節可能にフィットし得る。したがって、フィットシステム７０の使用により、外側伸長領域５１及び内側伸長領域６１のサイズを調節することができる。フィットシステム７０又はヘルメット１０がその最大又は最も広い設定にあるとき、伸長領域５１及び６１のサイズは、最大幅又はオフセットであってもよい。反対に、フィットシステム７０又はヘルメット１０がその最小又は最も狭い設定にあるとき、伸長領域５１及び６１のサイズは、最小幅又はオフセットであってもよい。フィットシステム７０又はヘルメット１０がその最小又は最も狭い設定にあるとき、外郭２０とエネルギー吸収材料６０との隣接する部品又は縁が互いに触れる即ち接触するように、伸長領域５１及び６１のサイズは、ゼロまで低減し得る。したがって、フィットシステム７０は、外郭のみを調節するフィットシステムを備える従来のヘルメットに対して、外郭２０とエネルギー吸収ライナー６０との両方を有利に調節して、調節可能なフィットを改善するか、保護を強化するか、又はその両方をもたらすことができる。
【００５５】
ベルト７２がラックとして形成され、フィットシステム機構７４がピニオンとして構成されるとき、このラック及びピニオン構成は、ヘルメット１０のサイズをそれぞれ拡大又は縮小するように、外郭２０の部分を押したり引いたりすることにより、二重目的のサイズ調節を可能にすることができる。このように、ベルト７２及びフィットシステム機構７４のラック及びピニオン構成により可能となる二重目的のサイズ合わせは、ケーブルを使用し、ヘルメットのサイズを引き締める、即ち縮小させることしかできない従来の設計に対して、向上した機能性を提供することができる。更に、ラック及びピニオンとして形成されているか否かにかかわらず、ベルト７２及びフィットシステム機構７４を含む、フィットシステム７０は、外郭２０とエネルギー吸収材料６０との間に配設され得る。フィットシステム７０を外郭２０とエネルギー吸収材料６０との間に配設することにより、図３に示されるようにフィットシステムの実質的に全体が視界から隠れ、フィットシステム機構７４の一部分のみが露出する。ヘルメットの外側に配設された従来のフィットシステムは、隠れた設計のフィットシステム７０とは違って、ヘルメット構成要素の更なる回転を誘発し得るため、フィットシステム７０の隠れた位置は、ヘルメットの外側に配設されたケーブルを使用する従来の設計とは異なる。
【００５６】
図５Ａ及び５Ｂは、ヘルメットの後方部分の側面像即ち側面図を示す。図５Ａでは、ヘルメット１０は、フィットシステム７０がヘルメット１０のサイズを大きな又は最大のサイズまで拡大させた状態で示されている。図５Ｂでは、ヘルメット１０は、フィットシステム７０がヘルメット１０のサイズを小さな又は最小のサイズまで低減させた状態で示されている。図５Ａ及び５Ｂの両方において、３つの移動区分を備えるヘルメット１０の非限定的な一例が示されている。この３つの移動区分は、（１）外郭２０の上部３０の後方境界面先細り部分３６、（２）左後方先細り境界面部分４６ｌ、及び（３）右後方先細り境界面部分４６ｒを含む。
【００５７】
図５Ａでは、ヘルメット１０がその大きな即ち開放位置にあるとき、境界面５０の幅５０ｗは、ヘルメット１０に沿って、Ｕ字形境界面５２の横方向部分５３から、下側外縁２２で終わる後方先細り境界面５６まで延在するにつれて変動し得る。境界面５０の幅５０ｗは、小さな幅又は幅がない状態から、大きな又は最大の幅まで変動し得る。境界面５０の幅５０ｗの幅がない状態、即ちゼロの幅は、側部４０の長手方向の縁４４が、上部３０の長手方向の縁３４に接触するときに起こり得る。境界面５０の幅５０ｗの大きな又は最大の幅は、複数の異なる頭部サイズ及び複数の異なる頭部形状をもつ使用者に適応するように、境界面５０及びフィットシステム７０の形状を含む、外郭２０の幾何学形状及び構成に基づいて変動し得る。非限定的な一例として、いくつかの実施形態では、境界面５０の幅５０ｗの大きな又は最大の幅（即ちヘルメット１０の伸長又は収縮の全幅の半分の幅）は、左後方先細り縁４７ｌ及び右後方先細り縁４７ｒ上の境界面５０などの各境界面５０に対して、５．０センチメートル（ｃｍ）以下、４．０ｃｍ以下、３．０ｃｍ以下、２．５ｃｍ以下、２．０ｃｍ以下、又はそれ未満であり得る。
【００５８】
図５Ｂでは、ヘルメット１０がその小さな即ち閉鎖位置にあるとき、境界面５０の幅５０ｗは、ヘルメット１０に沿って、Ｕ字形境界面５２の横方向部分５３から、下側外縁２２で終わる後方先細り境界面５６まで延在するにつれて一定であるか、又はわずかな変動を含んでもよい。側部４０の長手方向の縁４４が、上部３０の長手方向の縁３４に接触するときなど、ヘルメット１０が閉鎖位置にあるとき、境界面５０の幅５０ｗは、ゼロ即ち幅がない状態を含んでもよい。境界面５０の幅５０ｗの小さな又は最小の幅は、複数の異なる頭部サイズ及び複数の異なる頭部形状をもつ使用者に適応するように、境界面５０及びフィットシステム７０の形状を含む、外郭２０の幾何学形状及び構成に基づいて変動し得る。非限定的な一例として、いくつかの実施形態では、小さな又は最小の幅５０ｗは、境界面５０及びフィットシステム７０の形状を含む、外郭２０の幾何学形状及び構成に基づいて変動し得、左後方先細り縁４７ｌ及び右後方先細り縁４７ｒ上の境界面５０などの各境界面５０に対して、１．０ｃｍ以下、０．５ｃｍ以下、０．２５ｃｍ以下、又はそれ未満であり得る。
【００５９】
外郭２０の様々な構成要素間の境界面５０の形状、例えば上部３０と側部４０との間の境界面の形状などは、角度調節、又は、いくつかのホッケーヘルメットなどの従来のヘルメットによってこれまでに行われている２方向空間における動きではなく、３次元のベクトルに沿った調節を可能にすることができる。例えば、Ｒｏｇｅｒｓらへの米国特許第８，５１０，８７０号（以降、「Ｒｏｇｅｒｓ」）、並びにＤｕｒｏｃｈｅｒらへの米国公開第２０１４／０２５９３１５号（以降、「Ｄｕｒｏｃｈｅｒ」）は、ヘルメットの前方から後方への距離を増大若しくは縮小するための長さに沿った動き、又は、ヘルメットの側面から側面への距離を増大若しくは縮小するための、ヘルメットの幅にわたる動きなど、２方向の動きを示す。これまで、Ｒｏｇｅｒｓ及びＤｕｒｏｃｈｅｒに示されたようなヘルメットの調節は、長さ及び幅の両方を別々に調節する、２つの明確に異なる工程で、又は２つの明確に異なる機構によって調節されていた。それとは反対に、外郭２０を含むヘルメット１０は、上部３０と側部４０との境界面の幾何学形状のため、また３次元（３Ｄ）ベクトルに沿って力を働かせるフィットシステム７０のため、長さ及び幅の両方を一緒に、かつ同じ時に、同時に調節することができる。
【００６０】
更に、ヘルメット１０の３Ｄ調節、角度調整、又は３次元のベクトルに沿った調節の利益は、ヘルメット１０の長さ及び幅の両方を合わせて素早くかつ効率的に一緒に調節することに限定されない。むしろ、ヘルメット１０の３Ｄ調節の利益は、使用者の頭部に対するヘルメット１０の適応性フィットの改善も含む。より具体的には、外郭２０とエネルギー吸収材料６０との両方の可撓性の性質により、使用者の頭部の形状及び輪郭を許容することが可能となり得る。例えば、フィットシステムが開放しており、使用者がヘルメット１０を自身の頭部上に置くとき、ヘルメット１０の内表面と使用者の頭部との間に、不均質即ち不均一なオフセット又は間隙が存在し得る。ヘルメット１０のサイズ及びヘルメット１０内に含まれる空間の容積を縮小させるためにフィットシステム７０が用いられると、ヘルメット１０の内表面と使用者の頭部との間の空隙及び空間も縮小する。しかしながら、ヘルメット１０の内表面と使用者の頭部との間の間隙及びオフセットは、均一に、等しい割合で、又はその両方で低減されることに限定されず、その結果、エネルギー吸収材料６０の一部が使用者の頭部に接触する一方で、その他は接触しない。むしろ、ヘルメット１０の可撓性により、ヘルメットの形状、サイズ、又は１つ以上の輪郭のうちの１つ以上が変化して、使用者の頭部の形状、サイズ、又は１つ以上の輪郭のうちの１つ以上と適合することが可能となり得る。例えば、ヘルメット１０のサイズを低減させるためにフィットシステム７０を係合させるとき、使用者の頭部に接触しているヘルメット１０の内表面の第１の部分は、枢動点又は支点として作用することができ、それを中心として、ヘルメットの縮んでいく容積が、使用者の頭部に向かって内側に引かれ、それに合わせて形をなす。したがって、ヘルメット１０の順応性かつ適応性のフィットは、限定されないが以下を含み得るいくつかの利益を提供する。第１に、ある表面積量のヘルメット１０の内表面と接触している使用者の頭部の表面積量が増加され得る。第２に、使用者の頭部の表面とヘルメット１０の内表面との間の間隙、オフセット、及び空隙のサイズ又は容積が縮小され得る。第３に、使用者の頭部の形状、サイズ、及び輪郭に適合するように、ヘルメット１０の内表面の形状及び輪郭を形成することにより、使用者の頭部の不均一な部分ヘルメット１０の内表面の間の圧力点、又は小さな領域、点、若しくは隆起部が低減され、それにより、ヘルメット１０の安全性及び性能が向上する。
【００６１】
このように、以下により詳細に考察されるような、より先細りした形状及びより流線型の外見の利益が達成されるが、ヘルメットのサイズ合わせは、使用者の頭部の横方向の先細り又は傾斜にヘルメットが適合することに限定されない。むしろ、ヘルメット１０の全ての表面、即ち内面及び外面の両方が、使用者の頭部の形又は輪郭に従ってよい。非限定的な一例として、ヘルメット１０の内表面、例えばエネルギー吸収層６０の内表面などは、ヘルメット１０が先細りしているか否かにかかわらず、着用者の頭部の輪郭に適合しそれに従うように、より狭いか、より広いか、より短いか、より長いか、丸みを帯びるか、又は角ばっているように製作されてもよい。したがって、以下の考察は便宜上ヘルメット１０の後方図に関して考察されるが、後頭部の曲線を含む使用者の頭部の後方部分に向かって同様に引かれ、かつそれに順応し得る、後方先細り境界面部分３６などのヘルメットの他の寸法及び部分にも、同じ原理及び考察が適用可能である。
【００６２】
図５Ａ及び５Ｂはまた、ヘルメット１０の後下隅８６間に延在する幅Ｗｂと、ヘルメット１０の全幅即ち最大幅Ｗとの比較を提供し、これは、Ｗｂ：Ｗの定量又は先細比により表され得る。この先細比は、上記のように、ヘルメット１０が着用されてない間のヘルメットの簡便な尺度又は基準点として使用され得るが、ヘルメット１０の形状は、着用されると、使用者の頭部の輪郭に適合するように、その形状が相互作用的に変化させられることができる。上に示したように、ヘルメット１０の幅Ｗｂは、ヘルメット１０の後下隅８６間で測定され得る。限定としてではなく、便宜上、後下隅８６は、下側外縁２２上の最も低い点、又は換言すると、平らな平面状表面上でヘルメットが静止する又は接触する点を指し得る。別の言い方をすると、後下隅８６は、下側外縁２２における屈曲点であり得、ここにおいて、全幅Ｗから後下隅間の幅Ｗｂまで下向きの先細り。図５Ａ及び５Ｂに示されるように、図５Ａに示される開放位置におけるＷｂ：Ｗの先細比は、図５Ｂに示される閉鎖位置におけるＷｂ：Ｗの比よりも大きくてよい。非限定的な一例として、開放位置におけるヘルメット１０の先細比は、約４．７５：８．３又は０．５７であってよく、閉鎖位置における先細比ヘルメット１０は、約３．７５：７．７５又は０．４８であってよい。したがって、開放位置と閉鎖位置との先細比のパーセント差は、（０．５７〜０．４８）／０．５７又は約１６％であり得る。本明細書で使用される場合、「約」は、プラス又はマイナス３％以下の差を含み得る。ヘルメット１０の開放状及び閉鎖状の先細比のパーセント差は、約１０〜３０％の範囲内であってもよい。更に、閉鎖位置におけるヘルメット１０の先細比は、約３０〜６０％又は約３０〜４５％の範囲内であってもよい。
【００６３】
図５Ａ及び５Ｂに示されるように、上記の先細比及び縮小された幅Ｗｂにより、着用者の後頭部の曲線の曲線に合わせて先細りし、かつそれに適合するような３次元調節を提供しない、従来の設計の膨れて膨張した外見に見られるものよりも、細く滑らかな形が提示される。したがって、ヘルメット１０を特定の使用者に合わせて調節して、それにより、ヘルメット１０のサイズ、形状、又はその両方が、先行技術のヘルメットで時折あったように着用者の身体に対して不釣り合いに大きく見えないようにすることができる。むしろ、側部４０の外表面８８は、着用者の頭部から着用者の首までの先細り即ち曲線に適合するように先細りする。改善された見栄えの提供に加えて、ヘルメット１０の形にフィットする調節は、より良好なフィットも提供することができ、これは、衝突性能の改善及び安全性の向上をもたらし得る。従来、ヘルメットの底開口部は、着用者の頭部の最大の部分が開口部に入ることを可能にするのに十分に大きい必要がある。しかしながら、ヘルメット１０のフィットシステム７０及び適応性フィットは、使用者がヘルメットをかぶることを依然として可能にしながら、ヘルメット１０の開口部を小さくするのを可能にすることができる。このように、ヘルメット１０のフィットの改善は、ヘルメットの形状と使用者の頭部の形状又は輪郭とのより密接な適合を可能にして、様々な使用者に合わせて、狭い頭部及び広い頭部などの異なる頭部サイズ及び頭部の種類に適応しながら、保護の強化を提供することができる。
【００６４】
図６は、ヘルメット１０の前方が図の上部に配設されている、ヘルメット１０の平面図又は上面図を示す。いくつかの通気口即ち通気開口部９０が、外郭２０内に、かつそれを通って（上部３０及び側部４０を通ることを含む）形成され得る。通気口９０は、ヘルメット１０の外側と使用者の頭部との間を自由に空気が流れることを可能にするように、エネルギー吸収材料６０内の通気開口部６６に対応し、かつそれと整列し得る。通気口９０のサイズは、望ましい量の通気を可能にするのに十分に大きな、最小サイズを含み得る。通気口９０のサイズは、異物がヘルメットに押し通って又はそれを穿刺して着用者の頭部に接触することを防止するのに十分に小さな、最大サイズも含み得る。いくつかの事例では、通気口９０の最大サイズは、関連する安全基準、要件、又は規制によって決定される。通気口９０のうちの１つ以上の位置は、空気力学、通気、又は所望される他の目的に適応するように、ヘルメット１０の構成及び設計に従って位置付けられてよい。
【００６５】
通気口９０は、通気口９０内に格納可能に配設され得る、カバー即ち通気開口部カバー９２を備えてもよい。カバー９２は、熱可塑性物質又は他の好適な材料などのプラスチックから形成されてもよく、いくつかの事例では、外郭２０と同様又は同一の材料から製作されてもよい。カバー９２の格納及び位置付けは、スイッチ即ち通気口スイッチ９４によって制御されてもよい。通気口スイッチ９４は、ヘルメットの外側又は内側の任意の位置に位置付けられてよく、図６に示されるように、ヘルメットの上部即ち脳天部分に簡便に位置付けられてもよい。通気口スイッチ９４は、開放位置と閉鎖位置との間でカバー９２を同時に動かすように、カバー９２の全部を含む１つ以上のカバー９２に連結されてもよい。通気口カバー９２は通気口９０を全体的に被覆してもよいが、通気口カバー９２は、通気口９０を部分的に被覆してもよく、又は通気口９０のいずれも被覆しなくてもよい。カバー９２が通気口９０のいずれも被覆していないとき、カバー９２は、通気口９０に隣接して外郭２０とエネルギー吸収材料６０との間に配設され得る。
【００６６】
上記の実施例、実施形態、及び実現例は、例を示しているが、当業者であれば、他のヘルメット及び製造装置、並びに実施例が、提示される他のものと組み合わされるか、又は置換され得ることを理解するはずである。上記がヘルメット及びカスタマイズ方法の特定の実施形態を指す場合、その趣旨から逸脱することなくいくつかの修正がなされ得ること、並びにこれらの実施形態及び実現例が他のヘルメットカスタマイズ技術にも同様に適用され得ることが容易に明らかとなるはずである。したがって、開示される主題は、本開示の趣旨及び範囲内並びに当業者の知識内にある全てのそのような変更、修正、及び変形を包含することを意図する。
【図１Ａ】
2017509809.tif 000003
【図１Ｂ】
2017509809.tif 000004
【図２Ａ】
2017509809.tif 000005
【図２Ｂ】
2017509809.tif 000006
【図３】
2017509809.tif 000007
【図４Ａ】
2017509809.tif 000008
【図４Ｂ】
2017509809.tif 000009
【図５Ａ】
2017509809.tif 000010
【図５Ｂ】
2017509809.tif 000011
【図６】
2017509809.tif 000012
【国際調査報告】
2017509809.tif 000013